(57)【要約】【課題】災害発生時等の非常時にスピーディ且つ最適な対策がとれる像監視支援システムを提供すること。【解決手段】映像監視支援システム２０は、カメラ映像データ信号ｇを出力するカメラ装置２１と、カメラ映像データ信号ｇを入力して対応映像データ呼出し信号ｆを出力する呼出し信号発生手段２３と、対応映像データ呼出し信号ｆを入力し、対応映像データ呼出し信号ｆに対応した蓄積映像データアイコン表示信号ｄを出力する映像情報データベース３１と、蓄積映像データアイコン表示信号ｄを入力して、当該蓄積映像データアイコン表示信号ｄおよびカメラ映像データ信号ｇを出力する映像データ入出力手段２７と、カメラ映像データ信号ｇおよび蓄積映像データアイコン表示信号ｄを入力して映像データ結合信号ｋを出力する映像情報データ結合手段２４と、映像データ結合信号ｋを入力してカメラ映像データ信号ｇおよび蓄積映像データアイコン表示信号ｄに基づく映像を表示する映像データ表示装置２５とを備える。【選択図】  図１
2007174473.tif 000002
【特許請求の範囲】
【請求項１】
カメラ映像データ信号を出力するカメラ装置と、前記カメラ映像データ信号を入力して対応映像データ呼出し信号を出力する呼出し信号発生手段と、前記対応映像データ呼出し信号を入力し、前記対応映像データ呼出し信号に対応した蓄積映像データアイコン表示信号を出力する映像情報データベースと、前記蓄積映像データアイコン表示信号を入力して、当該蓄積映像データアイコン表示信号および前記カメラ映像データ信号を出力する映像データ入出力手段と、前記カメラ映像データ信号および蓄積映像データアイコン表示信号を入力して映像データ結合信号を出力する映像情報データ結合手段と、前記映像データ結合信号を入力して前記カメラ映像データ信号および蓄積映像データアイコン表示信号に基づく映像を表示する映像データ表示装置とを具備したことを特徴とする映像監視支援システム。
【請求項２】
前記映像データ表示装置は、映像データ結合信号を入力することにより、カメラ映像データを映像表示するカメラ映像表示画面および対応映像データアイコンを表示するデータベース映像表示画面とを備えたことを特徴とする請求項１記載の映像監視支援システム。
【請求項３】
前記映像情報データベースには、詳細映像データが蓄積されており、前記映像データ表示装置は、詳細映像データ信号を入力することにより、前記詳細映像データを映像表示するカメラ映像表示画面を備えたことを特徴とする請求項１記載の映像監視支援システム。
【請求項４】
前記カメラ映像データへ手書き入力を行う画面操作入力手段を備えたことを特徴とする請求項１記載の映像監視支援システム。
【発明の詳細な説明】
【技術分野】
【０００１】
この発明は災害監視等の監視用として用いるに適する映像監視支援システムに係るもので、特に、災害発生等非常時に効率的に監視をすることができる映像監視支援システムに関する。
【背景技術】
【０００２】
従来、この種の映像監視支援システムは、交通事故防災対策等の非常時対策の一つとして、非常対策を必要とする場所に映像カメラ装置を設置して映像データを生成・蓄積し、災害等が発生した場合には、これらのデータの中から所望する特定の映像データを簡易且つ効率的に検索可能にして非常時対策に活用し得る映像監視支援システムが知られている。
【０００３】
この従来の映像監視支援システムとして、カメラ制御された映像情報を記録・管理し、非常時にはその非常発生場所に応じて映像監視支援し得るようにしたものがある。（例えば、特許文献１参照）。
【０００４】
この種の映像監視支援システムについて、図１０を参照して説明する。
【０００５】
図１０は、映像監視支援システム１の概要を示している。映像監視支援システム１は、図示しない監視カメラにより撮影された映像データｘを入力する受信手段２と、時空間データ構造を記憶手段３に構築する構築手段４と、ユーザｐからの検索要求を時空間データ構造が検索し得るように変換する変換手段５と、この変換された検索要求に基づき、時空間データ構造から該当するカメラ映像データを記憶手段３から検索し、検索結果をユーザｐに出力する検索手段６とから構成される。
【０００６】
ユーザｐは、ローカルで直接的に本システムに接続されたＰＣ（パソコン）７を操作して、所望の検索要求を出し、検索結果としての映像データｘを入手し、この入手した映像データｘをネットワーク８を介してＰＣ７で視聴することができるようになっている。
【０００７】
映像監視支援システム１の監視カメラは、固定カメラでもよいし、移動カメラでもよい。また、監視カメラの向きを自由に変えられるタイプのものでもよいものである。
【０００８】
映像監視支援システム１によれば、監視カメラから生成される膨大な映像データから、撮影方向をも考慮して所望の映像データを効率よく高速で探し出すことができる。従って、非常時には、過去の非常時の状況を示す映像データを即座に検索して対策に活用できるものである。
【特許文献１】特開２００４−２３６１４４号公報
【発明の開示】
【発明が解決しようとする課題】
【０００９】
従来の映像監視支援システム１によれば、非常時、例えば災害発生時に、過去の災害等状況を示す映像データを即座に検索して対策に活用することができるものであるが、災害発生場所における実際の状況と過去の災害状況とを比較して対策を検討するにあたって、先ず災害場所および状況の認知を行い、そして当該災害場所における過去の災害状況の認知を行うという手順で行われることから、当該災害場所の過去の災害状況を示す映像データを検索して特定するまでに災害対策担当者側における対策にかかる時間が相応にかかってしまい、作業が手間取る一方で、災害対策が遅れるという問題があった。
【００１０】
本発明は、前記の事情に鑑みてなされたもので、災害発生時等の非常時にスピーディ且つ最適な対策がとれる映像監視支援システムを提供することを目的とする。
【課題を解決するための手段】
【００１１】
前記目的を達成するために、本発明では、カメラ映像データ信号を出力するカメラ装置と、前記カメラ映像データ信号を入力して、対応映像データ呼出し信号を出力する呼出し信号発生手段と、前記対応映像データ呼出し信号を入力し、前記対応映像データ呼出し信号に対応した蓄積映像データアイコン表示信号を出力する映像情報データベースと、前記蓄積映像データアイコン表示信号を入力して、当該蓄積映像データアイコン表示信号および前記カメラ映像データ信号を出力する映像データ入出力手段と、前記カメラ映像データ信号および蓄積映像データアイコン表示信号を入力して映像データ結合信号を出力する映像情報データ結合手段と、前記映像データ結合信号を入力して前記カメラ映像データ信号および蓄積映像データアイコン表示信号に基づく映像を表示する映像データ表示装置とを具備したことを特徴とする映像監視支援システムを提供する。
【発明の効果】
【００１２】
本発明によれば、災害発生時等の非常時にスピーディ且つ最適な対策がとれる像監視支援システムを提供することができる。
【発明を実施するための最良の形態】
【００１３】
本発明に係る映像監視支援システムの実施形態について、添付図面を参照して説明する。
【００１４】
図１は、本発明の映像監視支援システム２０の概要を示すブロック図である。図２は、映像監視支援システム２０の映像データ表示装置２５を模式的に示す図である。図３は、映像監視支援システム２０のカメラ装置２１により撮影したカメラ映像、例えば倒木した道路のカメラ映像を示す図である。図４は、図２の映像データ表示装置２５に表示される映像例を示す図で、（Ａ）はアイコンとして表示される映像を、（Ｂ）はアイコン操作により表示される映像をそれぞれ示している。図５は、映像監視支援システム２０の映像情報データベース３１の登録データの内容を示す図である。また、図６は、他の映像表示例を示す図で、（Ａ）はアイコン操作により表示されるカメラ映像を示す図、（Ｂ）は（Ａ）のカメラ映像の手書き入力修正映像を示す図である。
【００１５】
図７は、アイコンの表示例を示す図で、（Ａ）は橋桁近辺の映像を用いたアイコンを示す図、（Ｂ）は道路の特定カーブ近辺の映像を用いたアイコンを示す図である。図８は、図７（Ａ），（Ｂ）に示すアイコンの操作によりそれぞれ表示される映像を示している。
【００１６】
図１に示す映像監視支援システム２０は、カメラ装置２１と、このカメラ装置２１から出力されるカメラ映像データ信号ｇを入力してこのカメラ映像データ信号ｇを出力する映像データ入力装置２２と、カメラ映像データ信号ｇを入力して、当該カメラ映像データ信号ｇと共に蓄積映像データアイコン表示信号ｄを出力する呼出し信号発生手段２３と、これらのカメラ映像データ信号ｇおよび蓄積映像データアイコン表示信号ｄを入力して映像データ結合信号ｋを出力する映像情報データ結合手段２４と、映像データ結合信号ｋを入力してカメラ映像データ信号ｇおよび蓄積映像データアイコン表示信号ｄに基づく映像を表示する映像データ表示装置２５と、呼出し信号発生手段２３側へ蓄積映像データアイコン表示信号ｄを出力すると共に、映像データ表示装置２５に詳細映像データ信号ｉを出力する付加価値映像データ出力手段３０とを備えている。
【００１７】
カメラ装置２１は、交通事故等の災害の虞れのある監視対象場所である、例えば高速道路の事故多発付近を対象に、任意の複数の方角のカメラ画像データを取得し、カメラ画像データ信号ｇとして生成し、図示しないネットワーク、例えば光・無線事業者回線を介して映像データ入力装置２２側へ出力する。カメラ装置２１の設置場所や向きについては、災害等の非常事態を考慮し、予め特定された地域や場所であって、所望の方角に設けられる。
【００１８】
映像データ入力装置２２は、カメラ映像データ信号ｇを入力し、アナログ画像データまたはデジタル化処理して、呼出し信号発生手段２３側へ出力するものである。
【００１９】
呼出し信号発生手段２３は、カメラ映像データ信号ｇを入力することにより、このカメラ映像データ信号ｇに含まれるカメラ映像データに基づいて、アイコン表示するための対応映像データ呼出し信号ｆを付加価値映像データ出力手段３０側に出力して、蓄積映像データアイコン表示信号ｄを取得するものである。呼出し信号発生手段２３は、図２に示すように、アイコン対応蓄積映像データ呼出し信号発生器２６と、映像データ入出力装置２７とを備えている。
【００２０】
アイコン対応蓄積映像データ呼出し信号発生器２６は、カメラ映像データ信号ｇにより対応映像データ呼出し信号ｆを生成し、付加価値映像データ出力手段３０側に出力するものである。
【００２１】
映像データ入出力装置２７は、付加価値映像データ出力手段３０側から対応映像データ呼出し信号ｆに対応して出力される蓄積映像データアイコン表示信号ｄを入力し、カメラ映像データ信号ｇと蓄積映像データアイコン表示信号ｄとを映像情報データ結合手段２４側へ出力するものである。なお、この蓄積映像データアイコン表示信号ｄは、映像データ表示装置２５側においてアイコン表示可能なデータが含まれる。
【００２２】
映像情報データ結合手段２４は、カメラ映像データ信号ｇおよび蓄積映像データアイコン表示信号ｄを入力することにより、両信号ｇおよびｄをデータリンクさせて映像データ結合信号ｋを生成し、映像データ表示装置２５側へ出力するものである。
【００２３】
映像データ表示装置２５は、図２に示すように、カメラ映像表示画面２５ａおよびデータベース映像表示画面２５ｂを備える。カメラ映像表示画面２５ａは、映像データ結合信号ｋの内、カメラ映像データ信号ｇに含まれるカメラ映像データに基づく映像を表示する。この表示される映像は、図３に示すように、所定の道路に設置されたカメラ装置２１が撮像した映像、例えば１つの静止画像として表示される。データベース映像表示画面２５ｂには、映像データ結合信号ｋの内、蓄積映像データアイコン表示信号ｄに含まれるアイコン表示データに基づいたアイコン、図４（Ａ）に示す「倒木」を意味するカメラ映像対応蓄積映像アイコンが表示される。
【００２４】
従って、このカメラ映像対応蓄積映像アイコンを後述するアイコン操作手段により操作することにより、例えば図４（Ｂ）に示すように、倒木した道路のアイコンに対応した過去の蓄積された映像、例えば１つの静止画像が表示される。なお、映像データ表示装置２５のカメラ映像表示画面２５ａに表示される１つの静止画像は、動画像であってもよく、また、静止画像を断続的に表示させるようにしてもよい。
【００２５】
付加価値映像データ出力手段３０は、映像情報データベース３１と、閲覧映像データ出力装置３２と、画面操作入力手段３３とを備えている。
【００２６】
映像情報データベース３１は、過去の災害時等の非常時において、撮像された複数の映像登録データが蓄積されている。映像情報データベース３１には図５に示すように、発生日時表示欄３１ａの発生日時別に、カメラ情報欄３１ｂ，発生事象欄３１ｃ，テレメータ（気象データ等）欄３１ｄ，メモ欄３１ｅ，映像表示欄３１ｆおよび関連表示欄３１ｇの各詳細内容が含まれる。
【００２７】
映像情報データベース３１は、呼出し信号発生手段２３側から対応映像データ呼出し信号ｆを入力することにより、自動的に蓄積映像データアイコン表示信号ｄを生成し、呼出し信号発生手段２３側へ出力する。蓄積映像データアイコン表示信号ｄは、対応映像データ呼出し信号ｆに含まれるカメラ映像データにほぼ合致（または近似）した蓄積映像データであって、付加価値映像データ出力手段３０に備えられる図示しない自動検索・照合手段により自動的に検索され、出力されるようになっている。
【００２８】
また、映像情報データベース３１は、映像データ表示装置２５側から更新映像画面データ信号ｊを入力することにより、映像データ表示装置２５のカメラ映像表示画面２５ａおよびデータベース映像表示画面２５ｂに表示される最新の更新映像画面データが蓄積されるようになっている。
【００２９】
閲覧映像データ出力装置３２は、画面操作入力手段３３側から詳細映像データ閲覧信号ｈ１を入力して閲覧映像データ呼出し信号ｈ２を映像情報データベース３１側へ出力することにより、映像情報データベース３１側から詳細映像データ信号ｉを入力し、映像データ表示装置２５側へ出力するようになっている。この詳細映像データ信号ｉは、映像データ表示装置２５のカメラ映像表示画面２５ａに表示された、例えば図３に示すカメラ映像ｘに関連する一方で、カメラ映像ｘに直接対応しない参考となる映像情報データベース映像を表示するデータを含むものである。
【００３０】
また、閲覧映像データ出力装置３２は、画面操作入力手段３３側から詳細映像データ閲覧信号ｈ１を入力することにより、詳細映像データ信号ｉを映像データ表示装置２５側へ出力するようになっている。
【００３１】
映像データ表示装置２５は、詳細映像データ信号ｉを入力することにより、所望の詳細映像（図示せず）が表示されるようになっている。
【００３２】
画面操作入力手段３３は、映像情報データベース３１に蓄積される映像情報データ内の所望の映像データを映像データ表示装置２５のカメラ映像表示画面２５ａおよびデータベース映像表示画面２５ｂに表示するために、取扱者自らが手入力可能に設けられたものである。
【００３３】
例えば図６（Ａ）に示すように、カメラ映像表示画面（点線表示）２５ａに表示されたカメラ映像ｘ１を元に、図６（Ｂ）に示すように、例えば今後発生し得る事態を想定した手書き入力修正映像ｑを作成することができる。この修正映像ｑの作成には、取扱者自らが、例えば画面上にて図示しないペンタッチ等の書き込み可能手段により行うことができる。
【００３４】
なお、この画面操作入力手段３３は、付加価値映像データ出力手段３０側に必ずしも設ける必要はなく、映像データ表示装置２５側に設けてもよい。また、この画面操作入力手段３３には、例えばキーボード入力装置（図示しせず）を備えて、作業者によるキーボード入力により行うこともできる。更には、映像データ表示装置２５または付加価値映像データ出力手段３０には、図２〜図４に示すように、映像データ表示装置２５のカメラ映像表示画面２５ａに表示されるカメラ映像ｘに対応してデータベース映像表示画面２５ｂに表示されるカメラ映像対応蓄積映像アイコンｙを操作するための、例えば図示しないクリック用マウスを接続設置してもよい。
【００３５】
なお、図４（Ａ）に示すカメラ映像対応蓄積映像アイコンｙは、図５に示すように、蓄積された登録データの中から、例えば「倒木」関係のもののみを文字によりマトリックス表示することもできる。このマトリックス表示する場合には、例えば発生日時が、２００３．１１．２８の欄および２００４．４．６の欄の発生事象欄の「倒木」表示コラムをそのままアイコンとして画面設定することができる。
【００３６】
また、その他の欄についても、アイコンとして機能するように設けることができる。この場合には、例えば「倒木」表示コラムをマウスによりクリックすることにより、図４（Ｂ）に示すように、倒木状態のアイコン対応表示映像ｚがデータベース映像表示画面２５ｂに表示される。
【００３７】
次に、映像監視支援システム２０の作用を説明する。
【００３８】
カメラ装置２１にて監視対象エリアのカメラ映像生データを取得する。カメラ装置２１がカメラ映像生データを取得することにより、カメラ装置２１にてカメラ映像データ信号ｇが生成される。カメラ映像生データは、画像ネットワークを介して映像データ入力装置２２側へ出力される。映像データ入力装置２２は、カメラ映像データ信号ｇを入力して呼出し信号発生手段２３へ出力する。
【００３９】
次に、カメラ映像データ信号ｇを入力した呼出し信号発生手段２３は、付加価値映像データ出力手段３０の映像情報データベース３１側へ対応映像データ呼出し信号ｆを出力する。この対応映像データ呼出し信号ｆを入力した映像情報データベース３１は、蓄積映像データアイコン表示信号ｄを呼出し信号発生手段２３へ出力する。呼出し信号発生手段２３は、蓄積映像データアイコン表示信号ｄと共に先に入力したカメラ映像データ信号ｇを映像情報データ結合手段２４へ出力する。
【００４０】
すなわち、呼出し信号発生手段２３のアイコン対応蓄積映像データ呼出し信号発生器２６にて、カメラ映像データ信号ｇを入力することにより生成された対応映像データ呼出し信号ｆが映像情報データベース３１へ出力されると共に、カメラ映像データ信号ｇおよび映像情報データベース３１から出力される蓄積映像データアイコン表示信号ｄを入力した映像データ入出力装置２７にて、両信号ｇおよびｄが映像情報データ結合手段２４へ出力する。
【００４１】
映像情報データ結合手段２４は、入力したカメラ映像データ信号ｇおよび蓄積映像データアイコン表示信号ｄの両信号をデータリンクして映像データ結合信号ｋを映像データ表示装置２５に出力する。映像データ表示装置２５は、入力したカメラ映像データ信号ｇに含まれるカメラ映像を図２に示すカメラ映像表示画面２５ａに表示すると同時に、蓄積映像データアイコン表示信号ｄをデータベース映像表示画面２５ｂへそれぞれ自動的に表示される。また、同時にカメラ映像表示画面２５ａに表示されたカメラ映像データ信号ｇは、更新映像画面データ信号ｊとして映像情報データベース３１へ出力され、新たなデータベースとして蓄積される。なお、カメラ映像表示画面２５ａおよびデータベース映像表示画面２５ｂは、表示画面領域をそれぞれ定めず、１つの画面内で任意に混在させて表示させることもできる。
【００４２】
次に、カメラ映像表示画面２５ａに表示されたカメラ映像の手書き入力による修正について説明する。
【００４３】
カメラ映像表示画面２５ａに表示されたカメラ映像ｘを元に、必要により例えば今後発生し得る事態を想定した修正画像を作成することができる。具体的には、付加価値映像データ出力手段３０の画面操作入力手段３３の図示しない画像修正用ペンタッチを操作することにより、手書き入力信号ｅが映像データ表示装置２５のカメラ映像表示画面２５ａに出力され、図６（Ａ）に示すカメラ映像表示画面２５ａに表示されたカメラ映像ｘ１が図６（Ｂ）に示すように手書き入力修正（ハッチング部）映像ｑを作成することができる。
【００４４】
この手書き入力修正映像ｑは、映像監視支援システム２０の取扱者にて、現場の状況等から今後起り得る、例えば再崩落の事態を想定して修正した画像であるので、映像監視支援システム２０にて、災害を未然に防止するために、図示しない防災システムの初動時の情報として有効に活用することができる。
【００４５】
このように、映像監視支援システム２０によれば、カメラ映像データ信号ｇを出力するカメラ装置２１と、カメラ映像データ信号ｇを入力して対応映像データ呼出し信号ｆを出力する呼出し信号発生手段２３と、対応映像データ呼出し信号ｆを入力し、対応映像データ呼出し信号ｆに対応した蓄積映像データアイコン表示信号ｄを出力する映像情報データベース３１と、蓄積映像データアイコン表示信号ｄを入力して、当該蓄積映像データアイコン表示信号ｄおよびカメラ映像データ信号ｇを出力する映像データ入出力手段２７と、カメラ映像データ信号ｇおよび蓄積映像データアイコン表示信号ｄを入力して映像データ結合信号ｋを出力する映像情報データ結合手段２４と、映像データ結合信号ｋを入力してカメラ映像データ信号ｇおよび蓄積映像データアイコン表示信号ｄに基づく映像を表示する映像データ表示装置２５とを備えた構成であるから、映像データ表示装置２５には、カメラ装置２１側から出力されるカメラ映像生データを含むカメラ映像データ信号ｇに基づくカメラ映像ｘと、このカメラ映像データと合致または近似するアイコン対応表示映像ｚを同時に表示することができる。
【００４６】
また、取扱者は両映像を目視により比較照合しながら監視し、この監視の際にカメラ映像ｘに関連して必要な情報である詳細映像を表示することができる。従って、映像監視支援システム２０の取扱者は、映像情報データベース３１に蓄積された過去の災害等非常事態事例を基に、以後の非常時対策等の分析をすることができ、災害発生時等の非常時にスピーディ且つ最適な対策をとることができる。
【００４７】
更に、映像監視支援システム２０の映像情報データベース３１には、詳細映像データが蓄積されており、この映像情報データベース３１から詳細映像データ信号ｉを入力することにより、詳細映像データを映像表示するカメラ映像表示画面２５ａを備えた構成であるから、カメラ装置２１側から出力されるカメラ映像データ信号ｇに基づくカメラ映像生データと、このカメラ映像生データと合致または近似する蓄積映像データが同時に表示されることから、映像監視支援システム２０の取扱者は、映像データ表示装置２５により、両映像を比較照合しながら、状況を監視することができる。
【００４８】
従って、映像監視支援システム２０の取扱者は、両映像を比較照合しながら、必要により特定の蓄積映像データアイコンを操作して、映像情報データベース３１から詳細映像データを画面表示して、過去事例を基に、以後の非常時対策等の分析をすることができる。
【００４９】
また、映像監視支援システム２０の映像データ表示装置２５は、付加価値映像データ出力手段３０側から詳細映像データ信号ｉを入力することにより、映像情報データベース３１の映像情報データを映像表示するカメラ映像表示画面２５ａを備えた構成であるから、取扱者にて任意に付加価値映像データ出力手段３０の画面操作入力手段３３を操作することにより、映像情報データベース３１から任意の詳細映像を映像データ表示装置２５に表示させることができるので、過去事例を基に、以後の非常時対策等の分析をすることができ、災害発生時等の非常時にスピーディ且つ最適な対策をとることができる。
【００５０】
また、この際に、映像情報データベース３１には、映像データ表示装置２５のカメラ映像表示画面２５ａおよびデータベース映像表示画面２５ｂに表示される最新の更新映像画面データが蓄積され、次の災害等非常時に活用することができる。
【００５１】
更に、映像監視支援システム２０の映像データ表示装置２５は、カメラ映像表示画面２５ａへ手書き入力により映像表示する手書き入力信号を出力する画面操作入力手段３３を備えた構成であるので、災害時の監視の際にカメラ映像ｘに関連して必要な情報である詳細映像を表示することができる。従って、映像監視支援システム２０の取扱者は、映像情報データベース３１に蓄積された過去の災害等非常事態事例を基に、以後の非常時対策等の分析をすることができ、災害発生時等の非常時にスピーディ且つ最適な対策をとることができる。延いては、この詳細映像を映像情報データベース３１に蓄積して再活用を図ることができる。
【００５２】
更にまた、映像監視支援システム２０の付加価値映像データ出力手段３０は、詳細映像データ閲覧信号ｈ１を出力する画面操作入力手段３３と、過去の映像データを蓄積する映像情報データベース３１と、詳細映像データ閲覧信号ｈ１を入力することにより、閲覧映像データ呼出し信号ｈ２を映像情報データベース３１側へ出力して、当該映像情報データベース３１から出力される詳細映像データ信号ｉを映像データ表示装置２５側へ出力する閲覧映像データ出力装置３２とを備えた構成であるから、映像データ表示装置２５のカメラ映像表示画面２５ａに表示されるカメラ映像ｘや、画面操作入力手段３３によりカメラ映像の手書き入力修正映像ｑを更新映像画面データ信号ｊにより映像情報データベース３１に蓄積可能にしたので、常にカメラ映像ｘや手書き入力修正映像ｑ再利用が可能になる。
【００５３】
また、映像監視支援システム２０の付加価値映像データ出力手段３０は、手書き入力信号ｅを映像データ表示装置２５側へ出力して、当該映像データ表示装置２５のカメラ映像表示画面２５ａに手書きによる画面入力を可能にする画面操作入力手段３３を備えた構成であるから、映像監視支援システム２０の取扱者にて、現場の状況等から今後起り得る、例えば再崩落の事態を想定して修正した手書き入力修正映像ｑであるので、映像監視支援システム２０による災害未然防止にあたり、図示しない防災システムの初動時の情報として有効に活用することができる。
【００５４】
なお、映像監視支援システム２０によれば、道路災害対策用としての映像監視支援システムとして用いる場合に、図７（Ａ）に示すように、映像データ表示装置２５のデータベース映像表示画面２５ｂ（点線図示）に表示されるアイコン例として、橋下冠水が想定されたもの、図７（Ｂ）に示すように、映像データ表示装置２５のデータベース映像表示画面２５ｂ（点線図示）に表示されるアイコン例として、窪み地への敷設道路の冠水が想定されたもののそれぞれが用いられる。この種の災害場所のイメージをアイコンとして用いた場合には、監視員（映像監視支援システム２０の取扱者）が一見して分かりやすく、緊急時において作業をスピーディに行うことができる。
【００５５】
また、図７（Ａ）および（Ｂ）に示す場所において、実際に冠水が生じた場合には、当該場所をイメージして表示されるアイコンの操作により、図８（Ａ）および（Ｂ）に示すように、実際に冠水した状態の過去事例の映像と共に当該事例のメモｌ１およびｌ２がそれぞれの映像に付帯して表示される。
【００５６】
このように、冠水した状態の映像にメモｌ１（ｌ２）が付帯して表示されることにより、映像監視支援システム２０の取扱者にとって、過去の災害事例を詳細に知ることができ、即座に適切な災害対策に活用することができる。
【００５７】
更にまた、映像情報データベース３１に蓄積された多数の過去事例を含む登録データを用いて、例えば図９の検索条件グラフｍにて示すように、特定地域（場所）における雨天日の状況を時系列に一覧表示することができる。このように検索条件グラフｍにて表示することにより、例えば災害対策のための道路補強工事をする場合に、特定地域における道路補強工事については、雨天日の多い期間を避けたり、その時期までに工事を完了させる判断情報として活用することもできる。
【図面の簡単な説明】
【００５８】
【図１】本発明の映像監視支援システムの概要を示すブロック図。
【図２】図１の映像監視支援システムの映像データ表示装置を模式的に示す図。
【図３】図１の映像監視支援システムのカメラ装置により撮影したカメラ映像例を示す図。
【図４】図２の映像データ表示装置に表示される映像例を示す図で、（Ａ）はアイコンとして表示される映像を、（Ｂ）はアイコン操作により表示される映像をそれぞれ示す図。
【図５】図１の映像監視支援システムの映像情報データベースの登録データ内容を示す図。
【図６】図３に示すカメラ映像と異なるカメラ映像の表示例を示す図で、（Ａ）はアイコン操作により表示される表示例を示す図、（Ｂ）は（Ａ）の修正表示例を示す図。
【図７】図４に示すアイコンと異なるアイコンの表示例を示す図で、（Ａ）は橋桁近辺の映像を用いたアイコンを示す図、（Ｂ）は道路の特定カーブ近辺の映像を用いたアイコンを示す図。
【図８】図７（Ａ），（Ｂ）に示すアイコンの操作によりそれぞれ表示される映像を示す図。
【図９】映像情報データベースの登録データに基づく検索条件グラフの表示例を示す図。
【図１０】従来の映像監視支援システムの概要を示す図。
【符号の説明】
【００５９】
２０  映像監視支援システム
２１  カメラ装置
２２  映像データ入力装置
２３  呼出し信号発生手段
２４  映像情報データ結合手段
２５  映像データ表示装置
２５ａ  カメラ映像表示画面
２５ｂ  データベース映像表示画面
２６  アイコン対応蓄積映像データ呼出し信号発生器
２７  映像データ入出力手段
３０  付加価値映像データ出力手段
３１  映像情報データベース
３１ａ  発生日時表示欄
３１ｂ  カメラ情報欄
３１ｃ  発生事象欄
３１ｄ  テレメータ
３１ｅ  メモ
３１ｆ  映像表示
３１ｇ  関連表示
３２  閲覧映像データ出力装置
３３  画面操作入力手段
ｄ  蓄積映像データアイコン表示信号
ｅ  手書き入力信号
ｆ  対応映像データ呼出し信号
ｇ  カメラ映像データ信号
ｈ１  詳細映像データ閲覧信号
ｈ２  閲覧映像データ呼出し信号
ｉ  詳細映像データ信号
ｊ  更新映像画面データ信号
ｋ  映像データ結合信号
ｍ  検索条件グラフ
ｌ１，ｌ２  メモ
ｑ  手書き入力修正映像
ｘ，ｘ１，ｘ２  カメラ映像
ｙ，ｙ１，ｙ２  カメラ映像対応蓄積映像アイコン
ｚ，ｚ１，ｚ２  アイコン対応表示映像
【図１】
2007174473.tif 000003
【図２】
2007174473.tif 000004
【図３】
2007174473.tif 000005
【図４】
2007174473.tif 000006
【図５】
2007174473.tif 000007
【図６】
2007174473.tif 000008
【図７】
2007174473.tif 000009
【図８】
2007174473.tif 000010
【図９】
2007174473.tif 000011
【図１０】
2007174473.tif 000012